(57)【特許請求の範囲】
【請求項１】
外壁を貫通して室内と室外を連通する換気ダクトの室外側開口部に連通状態に嵌挿し、前記外壁の室外面より所定量突出させた筒部と、この筒部に連通する開口部を有し、外周部から前記外壁側に折曲形成して、その先端部が前記室外面に当接する外周板を備えたベースと、外周部が前記ベースの外周部より相似的に大きく形成され前記ベースの開口部に連通する開口部を有したカバー板と、前記ベースと前記カバー板の開口部を覆い下方に開口したフードとを備え、前記外壁と前記ベースの外周板と前記カバー板とによってコーキング材充填用の空間を形成し、前記外壁と前記ベースの前記外周板と前記カバー板とによって形成された前記コーキング材充填用の空間に充填したコーキング材のコーキング跡を覆って隠すように前記フードを設けたものであって、前記フードの内側天面に下方に向く複数個の爪部を設け、前記カバー板に前記爪部に係止し前記フードの取り付けを案内するガイド部を設けたことを特徴とした屋外フード。
【請求項２】
爪部は、先端を狭く根元を広く形成した請求項１記載の屋外フード。
【請求項３】
爪部は、先端が外壁に向かうように傾斜して設けられた請求項１または２記載の屋外フード。
【請求項４】
爪部は、カバー板に設けたガイド部に当接する外側の面に、その根元から先端にかけて凸部を設けた請求項１〜３のいずれかに記載の屋外フード。
【請求項５】
凸部は、根元側が高く先端側が低くなるように傾斜させて形成した請求項４記載の屋外フード。
【発明の詳細な説明】
【技術分野】
【０００１】
本発明は、建物の換気を行うために外壁の換気口に取り付けられる屋外フードに関する。
【背景技術】
【０００２】
従来、この種の屋外フードの一例として、屋外フードの背面に弾性材を貼り付け外壁に取り付けた後、外壁とフランジの取り合い部をコーキング材によりシールする構成のものが知られている（例えば、特許文献１参照）。
【０００３】
以下、その屋外フードの構成について、図９を参照しながら説明する。
【０００４】
図に示すように、建物の外壁面１０１と外壁面１０１に取り付けられた屋外フード１０２との取り合い部がシールされる構造であって、屋外フード１０２が弾性材１０３を介在させるようにして外壁面１０１に取り付けられ、この状態で外壁面１０１と屋外フード１０２との取り合い部がコーキング材１０４によりシールされる構成である。
【特許文献１】特開２０００−１２０１８９号公報
【発明の開示】
【発明が解決しようとする課題】
【０００５】
このような従来の屋外フードの構成では、屋外フード１０２の背面に弾性材１０３を貼り付け外壁面１０１に取り付けた後、外壁面１０１と屋外フード１０２の取り合い部をコーキング材によりシールしているが、作業者の熟練度により外観の仕上がりに差が生じていた。また、コーキングの経年変化により外壁の外観を損なうという課題があった。
【０００６】
本発明は、このような従来の課題を解決するものであり、外壁を貫通して設けたダクトに室外側から嵌挿して設置する際、雨水浸入と空気漏れ防止目的で行うコーキング材の充填を、作業者の熟練度にかかわらず良好に行うことができ、またコーキングの経年変化により外壁の外観を損なうようになることをなくす屋外フードを提供することを目的としている。
【課題を解決するための手段】
【０００７】
本発明の屋外フードは上記目的を達成するために、外壁を貫通して室内と室外を連通する換気ダクトの室外側開口部に連通状態に嵌挿し、前記外壁の室外面より所定量突出させた筒部と、この筒部に連通する開口部を有し、外周部から前記外壁側に折曲形成して、その先端部が前記室外面に当接する外周板を備えたベースと、外周部が前記ベースの外周部より相似的に大きく形成され前記ベースの開口部に連通する開口部を有したカバー板と、前記カバー板の開口部を覆い下方に開口したフードとを備え、前記外壁と前記ベースの外周板と前記カバー板とによってコーキング材充填用の空間を形成したものである。
【０００８】
また、他の手段は、外壁とベースの外周板とカバー板とによって形成されたコーキング材充填用の空間に充填したコーキング材のコーキング跡を覆って隠すようにフードを設けたものである。
【０００９】
また、他の手段は、フードの内側天面に下方に向く複数個の爪部を設け、カバー板に前記爪部に係止し前記フードの取り付けを案内するガイド部を設けたものである。
【００１０】
また、他の手段は、爪部は、先端を狭く根元を広く形成したものである。
【００１１】
また、他の手段は、爪部は、先端が外壁に向かうように傾斜して設けられたものである。
【００１２】
また、他の手段は、爪部は、カバー板に設けたガイド部に当接する外側の面に、その根元から先端にかけて凸部を設けたものである。
【００１３】
また、他の手段は、凸部は、根元側が高く先端側が低くなるように傾斜させて形成したものである。
【発明の効果】
【００１４】
本発明によれば、換気ダクトの室外側開口部に連通状態に嵌挿し、外壁の室外面より所定量突出させた筒部に連通する開口部を有したベースの外周部から外壁側に折曲形成され、その先端部が室外面に当接する外周板と、外周部がベースの外周部より相似的に大きく形成されベースの開口部に連通する開口部を有したカバー板と、外壁とによってコーキング材充填用の空間を形成したことにより、コーキング充填用の空間に所定量のコーキング材を充填するだけで良いので、作業の熟練度にかかわらずコーキング充填作業が良好にできるという効果のある屋外フードを提供できる。
【００１５】
また、フードでコーキング跡を覆うことで、コーキングの経年変化により外壁の外観が見苦しくなることが、なくなる。
【００１６】
また、フードの内側天面に下方に向く複数個の爪部と、カバー板に設けたガイド部の係止により、フードは容易に、かつ確実に取り付けられ、落下することなく支持される。
【００１７】
また、爪部は、先端を狭く根元を広く形成したことにより、コーキング跡を覆ってカバーを取り付ける際、ガイド部への係止が容易になる。
【００１８】
また、爪部は、先端が外壁に向かうように傾斜して設けられたことにより、コーキング跡を覆ってカバーを取り付ける際、ガイド部への係止がさらに容易になる。
【００１９】
また、爪部は、カバー板に設けたガイド部に当接する外側の面に、その根元から先端にかけて凸部を設けたことにより、フードが、爪部に設けた凸部をガイド部に当接させて爪部とガイド部を係止し、カバー板に取り付けられることとなり、フードは強固に取り付けられて外れにくくなる。
【００２０】
また、凸部は根元側が高く先端側が低くなるように傾斜させて形成したことにより、フードは、凸部を設けた爪部によってカバー板に強固に取り付けられるとともに、その取り付けが、爪部をガイド部にスムーズに挿入係止して、容易に行われることとなる。
【発明を実施するための最良の形態】
【００２１】
本発明の屋外フードは、外壁を貫通して室内と室外を連通する換気ダクトの室外側開口部に連通状態に嵌挿し、前記外壁の室外面より所定量突出させた筒部と、この筒部に連通する開口部を有し、外周部から前記外壁側に折曲形成して、その先端部が前記室外面に当接する外周板を備えたベースと、外周部が前記ベースの外周部より相似的に大きく形成され前記ベースの開口部に連通する開口部を有したカバー板と、前記ベースと前記カバー板の開口部を覆い下方に開口したフードとを備え、前記外壁と前記ベースの外周板と前記カバー板によってコーキング材充填用の空間を形成したものであり、コーキング材充填作業において、コーキング材充填用の空間がコーキング材充填器具にコーキングの案内役を果たすこととなる。
【００２２】
また、コーキング材充填用の空間に充填したコーキング材のコーキング跡を覆って隠すようにフードを設けたものであり、外壁とベースの外周部とカバー板によって形成された空間にコーキング材を充填させた後、フードで覆いコーキング跡を隠すこととなる。
【００２３】
また、フードの内側天面に下方に向く複数個の爪部を設け、カバー板に前記爪部に係止し前記フードの取り付けを案内するガイド部を設けたものであり、フードをベースの上半分を覆うようにしてカバー板に当接させ、下方に摺動させながらフードの内側天面に設けた複数個の爪部をカバー板に設けた複数個のガイド部に係止することによって、フードを確実に取り付けることができることとなる。
【００２４】
また、爪部は、先端を狭く根元を広く形成したものであり、爪部は、ガイド部へスムーズに挿入するように案内される。
【００２５】
また、爪部は、先端が外壁に向かうように傾斜して設けられたものであり、爪部は、ガイド部へスムーズに挿入するように案内される。
【００２６】
また、爪部はカバー板に設けたガイド部に当接する外側の面に、その根元から先端にかけて凸部を設けたものであり、爪部は、凸部を設けたことで、ガイド部に係止すると弾性力が生じ、ガイド部に強固に係止することになる。
【００２７】
また、凸部は根元側が高く先端側が低くなるように傾斜させて形成したものであり、爪部は、凸部を設けていても、ガイド部へスムーズに挿入するように案内される。
【００２８】
以下、本発明の実施の形態について図１〜図１３を参照しながら説明する。
【００２９】
（実施の形態１）
図１〜３に示すように、実施の形態１の屋外フード１は外壁２を貫通して室内と室外を連通する換気ダクト３の室外側開口部に連通状態に嵌挿し、外壁２の室外面より所定量突出させた筒部４と、筒部４の室外側端部に外方に向かって平板状に形成され中央部に筒部４に連通するベース開口部５ａを有し、外周部から外壁２室外面側に折曲形成して、その先端部が前記室外面に当接する外周板５ｂを備えたベース５と、外周部が前記ベース５に重なる状態で設けられ中央部にベース５のベース開口部５ａに連通するカバー板開口部６ａを有し外周部がベース５の外周部より相似的に大きく形成されたカバー板６と、筒部４を室外側から覆い下方に開放したフード７とからなる。
【００３０】
そして、屋外フード１を外壁２に取り付けた際、外壁２とベース５の外周板５ｂとカバー板６とによって形成される空間をコーキング材充填用の空間８としフード７は、このコーキング材充填用空間８を覆うように取り付けられる。
【００３１】
そして、フード７の内側天面に、先端が外壁２側に向かうように傾斜して下方に向く複数個の爪部９を設け、一方、カバー板６に、フード７の取り付けの際に爪部９に係止し、その取り付けを案内するガイド部１０を設けている。また、爪部９は先端の幅を狭く根元の幅を広く形成している。
【００３２】
上記のように構成された屋外フード１の外壁２への設置について以下に説明する。
【００３３】
まず、屋外フード１からフード７を分離して、一体となっている筒部４とベース５とカバー板６とを換気ダクト３の室外側開口部に連通状態に嵌挿する。そして、コーキング材充填用の空間８に所定量のコーキング材（図示せず）をコーキング材充填用器具で充填し、ベース５を外壁２にねじ（図示せず）によって固定する。
【００３４】
コーキング材充填作業が完了して一定時間が経過しコーキング材が硬化した後、図４に示すように、フード７を、下方に開口した部分を下側に向けて、カバー板６の上半分を覆いながら下方に摺動させてカバー板６に取り付ける。このとき、フード７の内側天面に設けた複数個の爪部９が、先端を外壁２側に向かうように傾斜させて下方に向くように形成させるとともに先端の幅が根元側より狭くなっているので、フード７を持ちやすいように下部が手前側になるように傾け上端角部を外壁２面に当てながら下方に摺動させれば、爪部９の先端はガイド部１０の入り口に来て、ガイド部１０内にスムーズに入っていき、爪部９のガイド部１０への係止が容易になされ、フード７がベース５に確実に取り付けられることとなる。また、コーキング跡はフード７によって隠すように覆われている。
【００３５】
以上のように、本実施の形態１の屋外フード１によれば、コーキング材充填用の空間８にコーキング材を充填することによって、コーキング充填作業の熟練度にかかわらず、その作業が良好にできることとなり、またコーキング跡をフード７で覆うことでコーキングの経年変化により外観が見苦しくなることがなくなり、また、このフード７の取り付けは、爪部９とガイド部１０の係止が容易かつ確実に行われるのでフード７の不具合な取り付けによる落下の危険性をなくすことができる。
【００３６】
（実施の形態２）
実施の形態２は、上記実施の形態１に対し図５〜図７に示すように、フード７Ａの内側天面に設けた爪部９Ａがカバー板６に設けたガイド部１０に当接する外側の面に、その根元から先端にかけて凸部１１を設け、この凸部１１を根元側が高く、先端側が低くなるように傾斜させて形成したことに特徴があり、その他の構成は上記実施の形態１と同一であり同一符号を付して、その説明は省略する。
【００３７】
図８に示すように、上記構成の爪部９Ａをカバー板６のガイド部１０に係止してフード７Ａを取り付けるとき、爪部９Ａは、ガイド部１０に挿入されると凸部１１が当接して弾力性が生じ、ガイド部１０に強固に係止されることとなる。
【００３８】
そして爪部９Ａは、ガイド部１０に強固に係止するように凸部１１を備えていても、凸部１１が根元側が高く先端側が低くなるように傾斜しているのでスムーズにガイド部１０に挿入されていく。
【００３９】
以上のように本実施の形態２の屋外フード１Ａによれば、爪部９Ａに根元側が高く先端側が低くなるように傾斜させて設けた凸部１１によって、爪部９Ａがガイド部１０に容易に係止し、かつ、強固に係止されフード７Ａが容易に容易に取り付けられるとともに外れにくくなる。
【産業上の利用可能性】
【００４０】
本発明に係る屋外フードは、外壁設置時のコーキング材充填作業が、その作業熟練度にかかわらず良好にでき、コーキングの経年変化もフードによって覆われて見えず、しかも、そのフードの取り付けが容易、かつ確実にでき建物の外壁に設置される屋外フードとして有用である。
【図面の簡単な説明】
【００４１】
【図１】本発明の実施の形態１の屋外フードの設置状態を示す縦断面図
【図２】同屋外フードの爪部を示す側面図
【図３】同屋外フードの爪部を示す正面図
【図４】同屋外フードのフードの取り付け状況を示す縦断面図
【図５】本発明の実施の形態２の屋外フードの設置状況を示す縦断面図
【図６】同屋外フードの爪部を示す正面図
【図７】同屋外フードの爪部を示す側面図
【図８】同屋外フードのフードの取り付け状況を示す縦断面図
【図９】従来の屋外フードの取り付け部分のシール構造を示す概略側面図
【符号の説明】
【００４２】
１    屋外フード
１Ａ  屋外フード
２    外壁
３    換気ダクト
４    筒部
５    ベース
５ａ  ベース開口部
５ｂ  外周板
６    カバー板
６ａ  カバー板開口部
７    フード
８    コーキング材充填用の空間
９    爪部
９Ａ  爪部
１０  ガイド部
１１  凸部
【図１】
0005194905.tif 000002
【図２】
0005194905.tif 000003
【図３】
0005194905.tif 000004
【図４】
0005194905.tif 000005
【図５】
0005194905.tif 000006
【図６】
0005194905.tif 000007
【図７】
0005194905.tif 000008
【図８】
0005194905.tif 000009
【図９】
0005194905.tif 000010